(57)【特許請求の範囲】
【請求項１】
バーナの火力調節を行う火力調節装置を備えたガスコンロにおいて、
前記火力調節装置は、
本体部と、
前記本体部に回動可能に軸支され、前記火力調節の為に回転操作される操作軸と、
前記操作軸と一体して設けられ、前記操作軸を中心に回動する回動板と、
前記回動板の片面に設けられた溝部又は穴部と、
前記本体部に固定され、前記本体部に固定される固定部から前記回動板の前記片面側に延びる板バネと、
前記板バネの先端部に設けられると共に、前記回動板の回動に伴って回動する前記溝部又は前記穴部の回動軌跡上に配置され、前記回動板が所定の火力位置に回動したときに、前記溝部又は前記穴部に係合可能なピンと
を備え、
前記板バネは、前記ピンが設けられた前記先端部を前記回動板の前記片面側に付勢し、
前記火力調節装置はさらに、
前記操作軸に設けられたツマミを前記操作軸の軸方向に押し込みながら、火力を小火力から大火力に調節するときの方向である一方向に回転させる点火操作を行うことで、前記バーナへのガス流路を開く機能を備え、
前記回動板は、前記操作軸を中心とする略扇形状に形成され、
点火操作前及び前記バーナの消火時において、前記ピンは、前記回動板の外周方向の両端部のうち、前記操作軸と共に回動する前記一方向の下流側の一端部から離脱し、且つ前記下流側の一端部から前記一方向側に隙間を空けて配置され、
点火操作時において、前記ピンは、前記一方向に回動する前記回動板の前記下流側の一端部側から前記片面上に乗り上げ、前記下流側の一端部とは反対側の上流側の他端部側に向けて摺動すること
を特徴とするガスコンロ。
【請求項２】
点火操作前及び消火時の前記操作軸に対して、前記操作軸の回転方向に遊びを設けたこと
を特徴とする請求項１に記載のガスコンロ。
【請求項３】
前記ツマミを押し込む方向とは反対側に前記操作軸を付勢する付勢手段を備え、
点火操作時において、前記回動板は、前記操作軸と共に押し込まれた状態で回動すること
を特徴とする請求項１又は２に記載のガスコンロ。
【請求項４】
前記ピンの先端部が前記回動板の前記片面と接触する接点における前記回動板が前記操作軸と共に回動する前記一方向は、前記板バネの前記本体部に固定される前記固定部から前記先端部に向かう方向に対して略反対方向であって、
前記ピンの軸方向は、前記接点における前記回動板の前記片面に垂直な方向に対して、前記固定部側から離れる方向に傾斜していること
を特徴とする請求項１から３の何れか一つに記載のガスコンロ。
【請求項５】
前記溝部又は前記穴部の内縁部は、テーパ状に形成されていることを特徴とする請求項１から４の何れか一つに記載のガスコンロ。
【請求項６】
前記所定の火力位置とは、中火力と小火力の間の火力位置であること
を特徴とする請求項１から５の何れか一つに記載のガスコンロ。
【発明の詳細な説明】
【技術分野】
【０００１】
本発明は、ガスコンロに関する。
【背景技術】
【０００２】
押し回し式のガスコンロにおいて、火力調節する際に所定の火力にてクリック感が得られるガスコンロが提案されている。例えば、操作軸に挿通配設された操作部品を支持する押さえ板を備え、該押さえ板と当接する回動板を、操作軸に一体回動するよう挿通配置し、該回動板の当接面に金属ボールを収容した凹溝または突起を設けると共に押さえ板の当接面に穴若しくは凹溝を設け、或いは、回動板の外周部に凸片を設けると共に押さえ板の当接面に凸片の端部と当接して係止する突起を設けたコンロが提案されている（例えば、特許文献１参照）。
【先行技術文献】
【特許文献】
【０００３】
【特許文献１】特開２００８−１４５０５０号公報
【発明の概要】
【発明が解決しようとする課題】
【０００４】
特許文献１に記載のコンロでは、クリック感を得る為の構造が複雑であるので、組み付けや分解がし難いという問題点があった。
【０００５】
本発明の目的は、簡単な構造で、火力調節する際に所定の火力にてクリック感が得られるガスコンロを提供することである。
【課題を解決するための手段】
【０００６】
請求項１に係る発明のガスコンロは、バーナの火力調節を行う火力調節装置を備えたガスコンロにおいて、前記火力調節装置は、本体部と、前記本体部に回動可能に軸支され、前記火力調節の為に回転操作される操作軸と、前記操作軸と一体して設けられ、前記操作軸を中心に回動する回動板と、前記回動板の片面に設けられた溝部又は穴部と、前記本体部に固定され、前記本体部に固定される固定部から前記回動板の前記片面側に延びる板バネと、前記板バネの先端部に設けられると共に、前記回動板の回動に伴って回動する前記溝部又は前記穴部の回動軌跡上に配置され、前記回動板が所定の火力位置に回動したときに、前記溝部又は前記穴部に係合可能なピンとを備え、前記板バネは、前記ピンが設けられた前記先端部を前記回動板の前記片面側に付勢し、前記火力調節装置はさらに、前記操作軸に設けられたツマミを前記操作軸の軸方向に押し込みながら、火力を小火力から大火力に調節するときの方向である一方向に回転させる点火操作を行うことで、前記バーナへのガス流路を開く機能を備え、前記回動板は、前記操作軸を中心とする略扇形状に形成され、点火操作前及び前記バーナの消火時において、前記ピンは、前記回動板の外周方向の両端部のうち、前記操作軸と共に回動する前記一方向の下流側の一端部から離脱し、且つ前記下流側の一端部から前記一方向側に隙間を空けて配置され、点火操作時において、前記ピンは、前記一方向に回動する前記回動板の前記下流側の一端部側から前記片面上に乗り上げ、前記下流側の一端部とは反対側の上流側の他端部側に向けて摺動することを特徴とする。
【０００７】
【０００８】
請求項２に係る発明のガスコンロは、請求項１に記載の発明の構成に加え、点火操作前及び消火時の前記操作軸に対して、前記操作軸の回転方向に遊びを設けたことを特徴とする。
【０００９】
請求項３に係る発明のガスコンロは、請求項１又は２に記載の発明の構成に加え、前記ツマミを押し込む方向とは反対側に前記操作軸を付勢する付勢手段を備え、点火操作時において、前記回動板は、前記操作軸と共に押し込まれた状態で回動することを特徴とする。
【００１０】
請求項４に係る発明のガスコンロは、請求項１から３の何れか一つに記載の発明の構成に加え、前記ピンの先端部が前記回動板の前記片面と接触する接点における前記回動板が前記操作軸と共に回動する前記一方向は、前記板バネの前記本体部に固定される前記固定部から前記先端部に向かう方向に対して略反対方向であって、前記ピンの軸方向は、前記接点における前記回動板の前記片面に垂直な方向に対して、前記固定部側から離れる方向に傾斜していることを特徴とする。
【００１１】
請求項５に係る発明のガスコンロは、請求項１から４の何れか一つに記載の発明の構成に加え、前記溝部又は前記穴部の内縁部は、テーパ状に形成されていることを特徴とする。
【００１２】
請求項６に係る発明のガスコンロは、請求項１から５の何れか一つに記載の発明の構成に加え、前記所定の火力位置とは、中火力と小火力の間の火力位置であることを特徴とする。
【発明の効果】
【００１３】
請求項１に係る発明のガスコンロでは、ユーザが、バーナの火力調節の為に、操作軸を回転操作し、回動板が所定の火力位置に回動したときに、板バネの先端部に設けられたピンが、回動板に設けられた溝部又は穴部に係合する。これにより、火力調節する際に所定の火力にてクリック感を得ることができるので、クリック感を手がかりにすることで、火力調節を容易にできる。そして、操作軸に回動板を設けて、ピンを先端部に設けた板バネをガスコンロに取り付けるだけの簡単な構造であるので、取り付けが容易で、修理、交換等のメンテナンスもし易く、部品コストも安価に抑えられる。
【００１４】
ガスコンロは、点火操作前では、板バネの先端部に設けられたピンは、回動板から離脱して、隙間を空けて配置されている。即ち、点火操作前では、板バネに回動板が接触しないので、板バネに負荷がかからない。これにより、板バネの耐久性を向上できる。
【００１５】
請求項２に係る発明のガスコンロは、請求項１に記載の発明の効果に加え、点火操作前に、ユーザの誤操作で操作軸が押されずに回された場合、操作軸は遊びの範囲内で回転するだけであるので、仮に板バネに回動板が接触した場合あっても、板バネに負荷がかからない。これにより、板バネの耐久性をさらに向上できる。
【００１６】
請求項３に係る発明のガスコンロは、請求項１又は２に記載の発明の効果に加え、点火操作時にツマミを押し回す際、ピンは回動板の片面から離れる方向に移動した状態で、回動板の片面を摺動する。これにより、ピンが回動板の片面を摺動する際は、板バネは小さく撓むのみであるので、ピンが溝部又は穴部を通過するときに生じるクリック感を緩和できる。よって、ユーザは、違和感無く点火操作時を行うことができる。
【００１７】
請求項４に係る発明のガスコンロは、請求項１から３の何れか一つに記載の発明の効果に加え、以下の効果を奏することができる。仮にピンの先端部が回動板の片面に対して垂直に摺動する構造であれば、回動板が操作軸と共に一方向（板バネの固定部から先端部に向かう方向に対して略反対方向）に回動する場合、板バネは、溝部又は穴部に係合するピンを介して固定部側とは反対側に引っ張られるので、溝部又は穴部から抜け易い。他方、回動板が操作軸と共に一方向とは反対方向に回動する場合、板バネは、溝部又は穴部に係合するピンを介して固定部側に押し込まれるので、溝部又は穴部から抜け難い。そこで、本発明では、ピンの軸方向を、ピンの先端部と回動板の片面との接点における回動板の片面に垂直な方向に対して、固定部側から離れる方向に傾斜している。これにより、回動板が操作軸と共に一方向と反対方向に夫々回動する場合のピンの溝部又は穴部からの抜け易さを揃えることができる。よって、操作軸を一方向及び反対方向に夫々回転させたときに生じるクリック感を揃えることができる。
【００１８】
請求項５に係る発明のガスコンロは、請求項１から４の何れか一つに記載の発明の効果に加え、これにより、ピンは溝部又は穴部にスムーズに係合し且つ離脱できるので、自然なクリック感を得ることができる。
【００１９】
請求項６に係る発明のガスコンロは、請求項１から５の何れか一つに記載の発明の効果に加え、例えば、煮物等の料理において火力を中火力から小火力に絞る際に、火力を絞り過ぎて火が消えることを防止できる。
【図面の簡単な説明】
【００２０】
【図１】ガスコンロ１の斜視図である。
【図２】火力調節装置２０の斜視図である。
【図３】火力調節装置２０の右側面図である。
【図４】火力調節装置２０の左側面図である。
【図５】火力調節装置２０の正面図である。
【図６】図５に示すＩ−Ｉ線矢視方向断面図である。
【図７】回動板６０の正面図である。
【図８】板バネ７０の側面図である。
【図９】火力調節装置２０の正面図（点火時）である。
【図１０】火力調節装置２０の正面図（中火力時）である。
【図１１】火力調節装置２０の正面図（クリック発生時）である。
【図１２】火力調節装置２０の正面図（小火力時）である。
【図１３】回動板６０と板バネ７０の位置関係を示す図（点火時）である。
【図１４】回動板６０と板バネ７０の位置関係を示す図（クリック発生時）である。
【図１５】回動板６０と板バネ１７０の位置関係を示す図（大火力時）である。
【図１６】回動板６０と板バネ１７０の位置関係を示す図（クリック発生時）である。
【発明を実施するための形態】
【００２１】
以下、本発明の実施形態について、図面を参照して説明する。図１に示すガスコンロ１は、押し回し式のツマミ１１〜１３を備えるグリル付きテーブルコンロであるが、グリル無しのテーブルコンロでもよく、キッチンのカウンタトップに設置されるビルトインコンロであってもよい。以下説明では、図中に矢印で示す上下、左右、前後を使用する。
【００２２】
図１を参照して、ガスコンロ１の外観構造について説明する。ガスコンロ１は、横長の略直方体状の器具２を備える。器具２の天面４右側には右コンロ５、左側には左コンロ６が設けられている。天面４の上面後ろ側には、排気口９が設けられている。排気口９には、スリット状のカバー９Ａが設置されている。排気口９は、器具２内に設けられたグリル庫（図示略）内と連通する。器具２前面中央には、グリル庫の前面に設けられたグリル開口（図示略）が設けられている。グリル開口には、グリル扉１０が前後方向に移動可能に設けられている。グリル扉１０を手前側に引き出すと、グリル扉１０の背面下部に連結した受け皿（図示略）及び焼き網を、グリル庫から同時に取り出すことができる。
【００２３】
器具２前面において、グリル扉１０の右側には、ツマミ１１，１２が設けられている。グリル扉１０の左側には、ツマミ１３が設けられている。ツマミ１１〜１３は押し回し式である。ツマミ１１は、右コンロ５のバーナ（以下、単にバーナと呼ぶ）を点火する場合に、正面視反時計回りに約９０°押し回しされる。点火後は、時計回りに回動させることによって、火力が大火力から小火力に調節される。ツマミ１１を点火前の位置に戻すと、バーナが消火される。なお、詳述しないが、ツマミ１２と１３の操作方法は、ツマミ１１と同じである。ツマミ１２は、グリル庫内のグリルバーナ（図示略）を点火する場合に押し回しされ、ツマミ１３は、左コンロ６のバーナを点火する為に押し回しされる。
【００２４】
本実施形態では、各種バーナの火力調節の為にツマミ１１〜１３を回動させる場合において、各種バーナの火力が中火力から小火力に切り替わるときに、軽い引っかかり感（所謂「クリック感」）を、ツマミ１１〜１３に付与できる。なお、クリック感付与の仕組みについては後述する。
【００２５】
器具２内部の前側であって、ツマミ１１〜１３に夫々対応する各位置には、火力調節装置２０（図２参照）が夫々設けられている。例えば、右コンロ５に対応する火力調節装置２０は、ツマミ１１の押し回し操作に応じて、右コンロ５のバーナを点火させるイグナイタ（図示略）を駆動させ、右コンロ５のバーナに供給するガス量を調節する。ツマミ１３の左側には、電池ボックス１５が設けられている。電池ボックス１５は、ガスコンロ１に電源を供給する乾電池（図示略）を格納する。
【００２６】
図２〜図５を参照して、火力調節装置２０の構造について説明する。各種バーナに対応する火力調節装置２０は全て同じ構造であるので、ここでは、右コンロ５のバーナに対応する火力調節装置２０の構造を説明する。火力調節装置２０は、バルブボディ２１、機体２２、操作機構２３等を備える。バルブボディ２１は、火力調節装置２０の下部に設けられ、略水平に延びる略円筒状に形成されている。バルブボディ２１は、火力調節装置２０の本体部であり、操作機構２３の後述する操作軸５０の回動によって、右コンロ５のバーナに供給するガス量を調節する。機体２２は、バルブボディ２１の上部に載置され、左右の二つのネジ８１（図２〜図４参照）で固定されている。機体２２の上部には、略円筒状のガス吐出部３７が設けられている。機体２２は、バルブボディ２１から流れたガスを、ガス吐出部３７から右コンロ５のバーナに向けて吐出する。操作機構２３は、バルブボディ２１の前側部に設けられている。操作機構２３は、操作軸５０の前端部に嵌合するツマミ１１（図３，図４参照）の押し回し操作によって、右コンロ５のバーナ近傍に設けられたイグナイタ（図示略）を駆動させると共に、バルブボディ２１内を流れるガス量を調節する。
【００２７】
図６を参照し、バルブボディ２１と機体２２の内部構造について説明する。バルブボディ２１は、内部にガス流路を備える。ガス流路は、バルブボディ２１の軸方向に延設する。バルブボディ２１は、スピンドル２５、メイン弁２６、安全弁２７、ガス入口２９、吐出口３１、ガス流路３２等を備える。スピンドル２５は、バルブボディ２１のガス流路内に挿入され、該流路に沿って前後方向に進退可能である。スピンドル２５の前端部は、後述する操作機構２３の操作軸５０の後端部と連結する。スピンドル２５は、操作軸５０の前端部に嵌合するツマミ１１の押し回し操作によって、操作軸５０と共に後方に押し込まれる。メイン弁２６はスピンドル２５に固着され、ツマミ１１の押し回し操作によって、後述する吐出口３１へのガス流路を開閉する。安全弁２７はマグネット式であり、点火時のツマミ１１の押し回し操作によって後方に押されることでガス流路を開き、右コンロ５のバーナ燃焼時の熱起電力によって開弁状態に保持する。
【００２８】
ガス入口２９は、メイン弁２６の近傍に設けられている。ガス入口２９は下方に向かって開口し、バルブボディ２１内のガス流路内にガスを流入させる。吐出口３１は、バルブボディ２１内のガス流路の内周面で、且つメイン弁２６の下流側に設けられている。吐出口３１は、操作軸５０と共に回転するスピンドル２５との重合面積によって、ガス流路３２に向かって吐出するガス量を変化させる。ガス流路３２は、吐出口３１から上方に延びび、その出口は、バルブボディ２１の上部に開口して設けられている。
【００２９】
機体２２は、ガス流路３３〜３５を内部に備える。バルブボディ２１の上部に設けられたガス流路３２の出口は、機体２２の下部に設けられたガス流路３３の入口と連通する。ガスはガス流路３３〜３５を順に流れ、ガス吐出部３７から右コンロ５のバーナに向かって吐出される。
【００３０】
図２〜図６を参照し、操作機構２３の構造について説明する。操作機構２３は、操作軸５０、支持部材４０、回動板６０、板バネ７０、第一バネ係止部材５１（図３，図４参照）、第二バネ係止部材５２（図３，図４参照）、戻しバネ５３（図３，図４参照）、駆動スイッチ５５（図４参照）等を備える。
【００３１】
図６を参照し、操作軸５０について説明する。操作軸５０は、前後方向に延びるように略水平に配置され、その後端側がバルブボディ２１の前端部に設けられた開口（図示略）からガス流路内に挿入され、前端側が該開口から前方に突出する（図２，図３参照）。操作軸５０の軸方向に直交する断面は、略矩形状に形成されている。操作軸５０の前端部は、後述する支持部材４０の右前壁部４３の左端部と、左前壁部４４の右端部に設けられた切欠き部４４Ａとの間から前方に突出する（図２，図５参照）。操作軸５０の前端部には、ツマミ１１が嵌合する。操作軸５０の後端部は、ガス流路内においてスピンドル２５の前端部と連結する。操作軸５０は、スピンドル２５と共に回動可能で且つ前後方向に進退可能であり、ツマミ１１の押し回し操作によって、スピンドル２５を後方に押し込む。
【００３２】
図２〜図５を参照し、支持部材４０の構造について説明する。図２に示すように、支持部材４０は、板金を折り曲げることによって側面視下方に開口する略逆Ｕ字状に形成され、バルブボディ２１の前端部に固定される。支持部材４０は、本体部４１、上壁部４２、右前壁部４３、左前壁部４４等を備える。本体部４１は、正面視縦長の略矩形状に形成され、その略中央には略円形状の開口部（図示略）を備える。本体部４１は、バルブボディ２１の前端部に、二つのネジ８４，８５で固定される。本体部４１の開口部の内側には、バルブボディ２１の前端部から前方に突出する操作軸５０が前後方向に進退可能に挿入されている。本体部４１の左端部の上下方向略中央の位置には、後方に折り返して延びる支持部４１Ａ（図４参照）が設けられている。支持部４１Ａには、後述する駆動スイッチ５５が固定されている。上壁部４２は、平面視略矩形状に形成され、本体部４１の上端部から前方に折り返して延びる。
【００３３】
図２，図５に示すように、右前壁部４３は、上壁部４２の前端部における右側から鉛直下方に延び、正面視略矩形状に形成されている。右前壁部４３の左下角部には、円弧状の切欠き部４３Ａが設けられている。切欠き部４３Ａは、後述する板バネ７０の先端部に設けられたピン７８との干渉を避ける。右前壁部４３の上部には、後述する板バネ７０をネジ８２で固定する為の固定穴（図示略）が設けられている。その固定穴の上方には、一対の係合穴４３Ｂ，４３Ｃが左右方向に互いに隙間を空けて設けられている。一対の係合穴４３Ｂ，４３Ｃには、板バネ７０の後述する一対の係止片７５（図４，図８参照）が係止する。
【００３４】
左前壁部４４は、上壁部４２の前端部における左側に設けられ、左前壁部４４の位置よりも前方に延びた位置から鉛直下方に延び、正面視略矩形状に形成されている。それ故、左前壁部４４は、右前壁部４３よりも前方に配置されている。左前壁部４４の右下角部には、円弧状の切欠き部４４Ａが設けられている。切欠き部４４Ａは、操作軸５０の前端部に嵌合するツマミ１１（図３参照）との干渉を避ける。
【００３５】
図２，図７を参照し、回動板６０の形状について説明する。図２に示すように、回動板６０は、バルブボディ２１の前端部から前方に突出する操作軸５０の前端側に固定されている。回動板６０は、前後方向において、右前壁部４３と略同一位置に配置されている（図３参照）。回動板６０は、操作軸５０を中心に操作軸５０と一体して回動する。図７に示すように、回動板６０は、円盤部６１と摺動部６２を備え、正面視略扇型状に形成されている。円盤部６１は正面視略円形状に形成され、その略中央部には略矩形状の挿入穴６５が設けられている。挿入穴６５には、操作軸５０が挿入される。
【００３６】
摺動部６２は正面視略扇型状に形成され、円盤部６１の外周部に沿って設けられている。摺動部６２の前面には、回動板６０の回動に伴い、後述する板バネ７０の先端部に設けられたピン７８が摺動する。摺動部６２を正面から見た場合に、摺動部６２は、挿入穴６５を中心とする反時計回り方向における下流側の一端部６７と、上流側の他端部６８とを備える。一端部６７には、円弧状に窪んだ凹部６７Ａが設けられている。凹部６７Ａは、摺動部６２の前面を摺動するピン７８の軌跡上に位置する。さらに、摺動部６２におけるピン７８の軌跡上であって、且つ凹部６７Ａの近傍には、係合穴６６が設けられている。係合穴６６には、摺動部６２の前面を摺動するピン７８の先端部が落着して係合可能である。係合穴６６は、摺動部６２前面におけるピン７８の軌跡に直交する方向に若干長い略楕円状に形成されている。係合穴６６の内縁部は、摺動部６２の前面側から背面側に向けて先細りになるようなテーパ状に形成されている（図１３参照）。
【００３７】
回動板６０を操作軸５０に取り付ける場合、上記の通り、回動板６０は正面視略扇型に形成されているので、支持部材４０の前方に突出する操作軸５０の前端部を、回動板６０の挿入穴６５に挿入し、そのまま後方に押し込むことによって、左前壁部４４の右端部に設けられた切欠き部４４Ａと干渉することなく、回動板６０を右前壁部４３と略同一位置に配置できる。それ故、回動板６０の取り付け作業は容易である。挿入穴６５に操作軸５０を挿入した部分は、正面視略Ｃ字状の固定ワッシャ５８で固定される。これにより、回動板６０が操作軸５０に固定される。
【００３８】
図２，図８を参照し、板バネ７０の構造について説明する。図２に示すように、板バネ７０は、支持部材４０の右前壁部４３の前面に固定される。板バネ７０は、上方から下方に延びる細長の板金を折り曲げることによって形成され、右前壁部４３の前面にネジ８２で固定される部分から回動板６０の前面側に延びる。図８に示すように、板バネ７０は、上から順に、固定部７１、傾斜部７２、ピン支持部７３、ピン７８等を備える。
【００３９】
固定部７１は、支持部材４０の右前壁部４３の前面に沿って固定される部分であり、上下方向に延びている。固定部７１は、正面視縦長の略長方形状に形成され、固定穴（図示略）、一対の係止片７５、位置決め部７６等を備える。固定穴は、固定部７１の略中央に設けられている。該固定穴には、ネジ８２が挿入され、支持部材４０の右前壁部４３に設けられた固定穴（図示略）に締結される。一対の係止片７５（図８では片側のみ図示）は、固定部７１の左右方向の両端部において、固定穴よりもやや上方の位置から後方に突出し、側面視略半円形状に形成されている。一対の係止片７５は、支持部材４０の右前壁部４３に設けられた一対の係合穴４３Ｂ，４３Ｃ（図２参照）に夫々係止する。それ故、本実施形態は、板バネ７０の右前壁部４３の左右方向における位置ずれを防止できる。位置決め部７６は、固定部７１の上端部から後方に折り返して突出し、略半円形状に形成されている。位置決め部７６は、支持部材４０の上壁部４２の上面に係止する。それ故、本実施形態は、板バネ７０の右前壁部４３の上下方向における位置決めを容易にできる。
【００４０】
傾斜部７２は、固定部７１の下端部から前側にやや折れ曲がり、斜め下方に傾斜して延びている。傾斜部７２は、正面視縦長の略長方形状に形成されている（図２，図５参照）。ピン支持部７３は、傾斜部７２の先端部から後ろ側にやや折れ曲がり、斜め下方に延びている。ピン支持部７３は、正面視縦長の略長方形状に形成されている（図２，図５参照）。ピン支持部７３の先端部は、略円弧状に形成されている。
【００４１】
ピン７８は金属製であって、ピン支持部７３に支持される。ピン７８は、基部７８Ａと円錐部７８Ｂを同軸上に備える。基部７８Ａの後端面は、リベット７７によって、ピン支持部７３の背面に固定される。円錐部７８Ｂは、ピン７８の先端部であって、略円錐状に形成されている。板バネ７０が支持部材４０の右前壁部４３の前面に固定された状態では、ピン７８は、右前壁部４３の切欠き部４３Ａの近傍に配置される。ピン７８の先端部は、操作軸５０と共に回動する回動板６０の係合穴６６の回動軌跡上に位置する。よって、回動板６０の回動に伴い、ピン７８の先端部は回動板６０の前面に乗り上げて摺動し、係合穴６６に落着する。回動板６０がさらに回動すると、ピン７８の先端部は係合穴６６から抜け出る。後述するが、ピン７８の軸方向は、ピン７８の先端部が回動板６０の前面と接触する接点における回動板６０の前面に垂直な方向に対して、固定部７１側から離れる方向に傾斜している（図１３参照）。なお、ピン７８の軸方向を傾斜させたことによる効果については後述する。
【００４２】
図３，図４を参照し、その他の部材について説明する。第一バネ係止部材５１は、樹脂製の略円筒部材である。第一バネ係止部材５１は、操作軸５０に装着され、回動板６０の背面側に固定される。第一バネ係止部材５１は、係止部５１Ａと付勢部５１Ｂを備える。係止部５１Ａは略円筒状に形成され、操作軸５０に装着される。係止部５１Ａには、操作軸５０に装着される略円筒状の戻しバネ５３の軸方向一端側が係止する。付勢部５１Ｂはアーム状に形成され、係止部５１Ａの左側部から左方に突出する。付勢部５１Ｂの先端部は、後述する駆動スイッチ５５の操作子５６に対して下方から当接し、上方に付勢する（図４参照）。
【００４３】
第二バネ係止部材５２も、第一バネ係止部材５１と同様の樹脂製の略円筒部材である。第二バネ係止部材５２は、操作軸５０に装着され、支持部材４０の本体部４１の前面側に固定される。第二バネ係止部材５２には、戻しバネ５３の軸方向他端側が係止する。第一バネ係止部材５１と第二バネ係止部材５２は、支持部材４０の本体部４１の前面と、回動板６０の背面との間において、前後方向に互いに離間する。戻しバネ５３は、第一バネ係止部材５１と第二バネ係止部材５２の間に圧縮された状態で、操作軸５０に装着される。
【００４４】
図４に示すように、駆動スイッチ５５は、支持部材４０の本体部４１の左端部に設けられた支持部４１Ａにネジ８６で固定される。駆動スイッチ５５は、右コンロ５のイグナイタを駆動させる為のスイッチである。駆動スイッチ５５の底面側には、アーム状の操作子５６が設けられている。操作子５６は基端側が軸支され、前方に延びる先端側が上下方向に回動可能である。操作子５６の先端部には、第一バネ係止部材５１の付勢部５１Ｂが下方から当接する。操作子５６の先端部が上方に付勢されると、駆動スイッチ５５の底面に設けられたマイクロスイッチ（図示略）が、操作子５６によって上方に押し込まれてオフ状態となる。他方、ツマミ１１の押し回し操作によって、第一バネ係止部材５１が操作軸５０と共に回動すると、付勢部５１Ｂが下方に移動するので、操作子５６の先端部も下方に移動する。このとき、マイクロスイッチ（図示略）はオン状態となる。
【００４５】
次に、火力調節装置２０の点火操作前（消火時）の状態について説明する。図１に示すように、点火操作前のツマミ１１の手で把持する部分は、上下方向を向いた状態である。図４に示すように、操作軸５０に装着された第一バネ係止部材５１の付勢部５１Ｂは、駆動スイッチ５５の操作子５６の先端部に対して下方から当接して上方に付勢する。駆動スイッチ５５の底面のマイクロスイッチは、上方に押し込まれてオフ状態である。
【００４６】
図２，図５に示すように、回動板６０の一端部６７は、板バネ７０のピン７８に対して、時計回り方向に隙間を空けて配置されている。図３，図４に示すように、回動板６０は、戻しバネ５３によって前方に付勢されているので、支持部材４０の右前壁部４３と略同一位置に配置される。この状態では、図５に示すように、ピン７８は、回動板６０の一端部６７とは接触していない。それ故、点火操作前の状態では、板バネ７０に負荷がかからないので、板バネ７０の耐久性を向上できる。
【００４７】
さらに、点火操作前の状態では、ツマミ１１を押しながら回さないと、操作軸５０は、バルブボディ２１の内側で回らないようになっているが、回動方向に所定の遊びが設けられている。それ故、点火操作前の状態で、ユーザが誤操作でツマミ１１を押さずに回してしまったときでも、操作軸５０は所定の遊びの範囲内で回動するだけであるので、板バネ７０に負荷がかからない。よって、板バネ７０の耐久性をさらに向上できる。
【００４８】
次に、火力調節装置２０の点火操作時の動作について説明する。バーナを点火させる為に、ユーザはツマミ１１を押しながら反時計回りに約９０°回動させる点火操作を行う。ツマミ１１と共に、操作軸５０も反時計回りに約９０°回動する。すると、図６に示すバルブボディ２１内のメイン弁２６は、吐出口３１へのガス流路を開閉する。安全弁２７は、後方に押下されてガス流路を開く。操作軸５０と共にスピンドル２５が回動するので、吐出口３１が開き、ガス流路３２に向かってガスが流れる。ガス流路３２からガス流路３３に流れたガスは、ガス流路３４，３５を流れ、ガス吐出部３７から右コンロ５のバーナ本体（図示略）に設けられた混合管（図示略）に向けてガスが吐出される。混合管で一次空気が混合されて生成した混合ガスは、右コンロ５のバーナ本体とバーナヘッド（図示略）との間に形成された複数の炎口（図示略）から噴出する。
【００４９】
他方、操作軸５０と共に、第一バネ係止部材５１も、戻しバネ５３の付勢に抗して後方に押し込まれながら反時計回りに約９０°回動する。すると、図９に示すように、第一バネ係止部材５１の付勢部５１Ｂは下方に移動するので、駆動スイッチ５５の操作子５６も下方に移動する。駆動スイッチ５５はオン状態となり、右コンロ５に設けられたイグナイタが駆動する。イグナイタによって、複数の炎口から噴出されるガスに引火されることによって、右コンロ５の複数の炎口に火炎が形成される。右コンロ５のバーナ燃焼時の熱起電力によって、バルブボディ２１内の安全弁２７は、開弁状態に保持される。
【００５０】
また、図５に示すように、操作軸５０と共に、回動板６０も、戻しバネ５３の付勢に抗して後方に押し込まれながら反時計回り（図５中Ｐ方向）に約９０°回動する。このとき、回動板６０は、支持部材４０の右前壁部４３と略同一位置からピン７８の円錐部７８Ｂの先端部位置まで押し込まれた状態から反時計回りに回動する。それ故、図９に示すように、ピン７８の先端部は、回動板６０の一端部６７の凹部６７Ａから前面にスムーズに乗り上げることができる。
【００５１】
そして、回動板６０が反時計回りに回動することに伴い、ピン７８の先端部は、回動板６０の前面を一端側から他端側に向けて摺動する。上記の通り、回動板６０は後方に押し込まれた状態で反時計回りに回動するので、ピン７８の先端部が回動板６０の前面に接触した状態では、板バネ７０は、固定部７１を基点として、傾斜部７２及びピン支持部７３が右前壁部４３から前方に離れる方向に若干撓むだけである。それ故、ピン７８の先端部が係合穴６６に落着して係合するときの衝撃が小さいため、ユーザはクリック感を殆ど感じない。よって、本実施形態は、ツマミ１１による点火操作時において、ツマミ１１の自然な押し回し操作を実現できる。
【００５２】
点火完了後、ユーザはツマミ１１から手を離すので、戻しバネ５３によって、操作軸５０は前方に付勢される。これに伴い、図１３に示すように、回動板６０も前方に移動するが、ピン７８の先端部が回動板６０の前面に接触するので、板バネ７０は、固定部７１のネジ８２付近を基点とし、傾斜部７２及びピン支持部７３が右前壁部４３の前面から離間する方向に反るようにして撓む。ピン７８の先端部は、板バネ７０に生じた弾性復帰力によって、回動板６０の前面に押し当てられた状態となる。
【００５３】
次に、火力調節装置２０の火力調節時の動作について説明する。
−大火力から中火力へ−
点火完了後、ピン７８と回動板６０との相互の位置関係は、図９に示す状態である。点火完了後のバーナは大火力に調節されている。バーナの火力を大火力から中火力に調節する為に、ユーザはツマミ１１を時計回りに回動させる。すると、図６に示すように、ツマミ１１と共に、操作軸５０とスピンドル２５は時計回りに回動する。これに伴い、吐出口３１とスピンドル２５との重合面積が増加するので、吐出口３１の開口面積は減少する。それ故、ガス流路３２に向かって流れるガス量が減少するので、右コンロ５のバーナは中火力に調節される。
【００５４】
他方、図９，図１０，図１３に示すように、操作軸５０と共に、回動板６０も時計回り（図中Ｑ方向）に回動する。これに伴い、ピン７８の先端部は、回動板６０の前面に押し当てられた状態で、該前面を他端部６８側から一端部６７側に向けて円弧状に摺動する。中火力におけるピン７８と回動板６０との相互の位置関係は、図１０に示す状態である。
【００５５】
−中火力から小火力へ−
バーナの火力を中火力から小火力に調節する為に、ユーザはツマミ１１を時計回りにさらに回動させる。これに伴い、図６に示すように、スピンドル２５と吐出口３１との重合面積がさらに縮小するので、ガス流路３２に流れるガス量がさらに減少し、右コンロ５のバーナは小火力に調節される。
【００５６】
他方、図１０，図１１に示すように、操作軸５０と共に、回動板６０も時計回り（図中Ｑ方向）にさらに回動する。そして、中火力から小火力に切り替わるときに、それまで回動板６０の前面を摺動していたピン７８の先端部は、板バネ７０の弾性復帰力によって、係合穴６６に勢いよく落着する（図１１，図１４参照）。このときのピン７８から回動板６０に受ける小さな衝撃が、操作軸５０及びツマミ１１を介して、ユーザの手にクリック感として付与される。ユーザは、このクリック感を手掛かりにすることによって、中火力から小火力に切り替わる位置を明確に認識できるので、火力調節の操作性を向上できる。また、煮物等の料理において火力を中火力から小火力に絞る際に、火力を絞り過ぎて火が消えることを防止できる。
【００５７】
−小火力から消火へ−
バーナの火力を小火力からさらに弱めて消火する為に、ユーザはツマミ１１をクリック感を生じた位置から時計回りにさらに回動させる。これに伴い、図６に示すように、スピンドル２５と吐出口３１との重合面積がさらに縮小するので、ガス流路３２に流れるガス量がさらに減少し、右コンロ５のバーナの火力はさらに弱くなる。
【００５８】
他方、図１１，図１２に示すように、操作軸５０と共に、回動板６０も時計回り（図中Ｑ方向）にさらに回動する。このとき、係合穴６６に係合するピン７８の先端部は、係合穴６６の内縁部のテーパ面に沿って一端部６７側に抜け出し、回動板６０の前面に再び乗り上げる（図１２参照）。このとき、板バネ７０は、再度、固定部７１のネジ８２付近を基点とし、傾斜部７２及びピン支持部７３が右前壁部４３の前面から離間する方向に反るようにして撓む。ピン７８の先端部は、板バネ７０に生じた弾性復帰力によって、回動板６０の前面に押し当てられた状態となる。
【００５９】
そして、ツマミ１１を時計回り（図中Ｑ方向）にさらに回動させることによって、吐出口３１がスピンドル２５によって閉じられると共に、ピン７８の先端部が回動板６０の前面を一端部６７の凹部６７Ａから反時計回り方向に外れる。このとき、回動板６０の前面にかけられていた板バネ７０の付勢力が一気に無くなるので、回動板６０及び操作軸５０は、戻しバネ５３によって前方に押し出される。ピン７８の先端部は、回動板６０の前面から外れて、右前壁部４３の切欠き部４３Ａと、回動板６０の一端部６７の凹部６７Ａとの隙間に配置される。操作軸５０と共に、スピンドル２５も前方に移動するので、メイン弁２６は、吐出口３１へのガス流路を閉じ、安全弁２７も前方に移動してガス流路を閉じる。このようにして、右コンロ５が消火され、図６の状態に戻る。なお、小火力から大火力に調節する場合は、上記動作の流れと逆の流れとなるので、説明を省略する。
【００６０】
このようにして、本実施形態のガスコンロ１は、各種バーナの火力を調節する場合において、中火力から小火力に切り替わる所定の火力位置で、ツマミ１１にクリック感を付与できる。これにより、ユーザはクリック感を手掛かりに、バーナの火力を細かく調節できるので、火力調節の操作性を向上できる。そして、本実施形態は、回動板６０と、ピン７８を備えた板バネ７０とを用いるだけの簡単な構造であるので、従来のガスコンロの構造に簡単に取り付けることができる。さらに、簡単な構造であるので、部品交換、修理等のメンテナンスが容易で、部品コストも安価に抑えられる。
【００６１】
図１３〜図１５を参照し、回動板６０の前面に対して、ピン７８の軸方向を傾斜させたことによる効果を説明する。図１５に示す板バネ１７０は、ピン７８の軸方向を、回動板６０の前面に対して垂直になるように調節したものである。それ以外は、図８に示す板バネ７０と同じ構造であるので、同一の符号を付して説明する。このような板バネ１７０を用いて、ピン７８の先端部を回動板６０の前面に接触させた場合、板バネ７０と同様に、板バネ１７０は、固定部７１のネジ８２付近を基点とし、傾斜部７２及びピン支持部７３が右前壁部４３の前面から離間する方向に反るようにして撓む。このような状態で、ツマミ１１を時計回り（大火力から小火力へ：図１５中Ｑ方向）に回動させた場合と、反時計回り（小火力から大火力へ：図１５中Ｒ方向）に回動させた場合とでは、ピン７８が回動板６０の係合穴６６を通過するときに生じるクリック感の強さに差異が生じてしまう。
【００６２】
例えば、図１６に示すように、ピン７８の先端部が回動板６０の係合穴６６に係合した状態から、ツマミ１１を時計回りに回動させた場合（大火力から小火力へ）、回動板６０は図１６中Ｑ方向に回動する。ピン７８の先端部は、係合穴６６の内縁部によって固定部７１側とは反対方向（図１６中Ｓ方向）に引っ張られるので、板バネ１７０は、固定部７１側とは反対方向に引っ張られる状態となる。そして、係合穴６６の内縁部はテーパ面になっているので、ピン７８の先端部は、そのテーパ面に沿って摺動することによって一端部６７側にスムーズに抜け出る。このとき、板バネ１７０に大きな応力がかからないので、ピン７８の先端部は係合穴６６から比較的抜け易いといえる。よって、ピン７８の先端部が係合穴６６を通過するときに生じるクリック感は小さくなる。
【００６３】
これに対し、ピン７８の先端部が回動板６０の係合穴６６に係合した状態から、ツマミ１１を反時計回りに回動させた場合（小火力から大火力へ）、回動板６０は図１６中Ｒ方向に回動する。ピン７８の先端部は、係合穴６６の内縁部によって固定部７１側（図１６中Ｔ方向）に押し込まれるが、板バネ１７０は、固定部７１がネジ８２で固定されているので、傾斜部７２及びピン支持部７３が、ピン７８とネジ８２との間で圧縮された状態となる。この場合、板バネ１７０に大きな応力がかかるので、ピン７８は係合穴６６から比較的抜け難いといえる。よって、ピン７８の先端部が係合穴６６を通過するときに生じるクリック感は大きくなる。このように、回動板６０の回動方向の違いによって、ピン７８の係合穴６６からの抜け易さが異なるので、ピン７８の先端部が係合穴６６を通過するときに生じるクリック感に差異を生じてしまう。
【００６４】
そこで、本実施形態は、回動板６０を何れの方向に回動させた場合でも、ピン７８が係合穴６６を通過するときに生じるクリック感を揃える為に、以下の特徴を備えている。図１３に示すように、ピン７８の先端部は、図１３中に示す接点Ａにおいて、回動板６０の前面と接触する。その接点Ａにおける回動板６０が操作軸５０と共に反時計回りに回動する方向は、図１３中に示すＲ方向である。Ｒ方向は、板バネ７０の支持部材４０の右前壁部４３の前面に固定される固定部７１からピン支持部７３の先端部に向かう方向に対して略反対方向である。
【００６５】
このような構成において、ピン７８の軸方向を、接点Ａにおける回動板６０の前面に垂直な方向（図１３中Ｋ方向）に対して、固定部７１から離れる側に傾斜させている。これにより、図１４に示すように、ピン７８の先端部が係合穴６６に係合した状態において、係合穴６６の一端部６７側のテーパ面に対して、ピン７８の円錐部７８Ｂのテーパ面が対向するようになる。これにより、ツマミ１１を時計回りに回動させ、回動板６０を図１４中Ｑ方向に回動させた場合に、ピン７８の円錐部７８Ｂのテーパ面が、係合穴６６の一端部６７側のテーパ面に強く引っ掛かるようになるので、板バネ１７０に比べて、若干抜け難くすることができる。
【００６６】
他方、係合穴６６の他端部６８側のテーパ面に対して、ピン７８の円錐部７８Ｂのテーパ面がより傾斜して配置されるようになる。これにより、ツマミ１１を反時計回りに回動させ、回動板６０を図１４中Ｒ方向に回動させた場合、ピン７８の円錐部７８Ｂのテーパ面が係合穴６６の前面側の角部６６Ａを滑るように他端部６８側に抜け出るようになるので、板バネ１７０に比べて、若干抜け易くすることができる。これにより、ツマミ１１を大火力から小火力に回動させた場合と、小火力から大火力に回動させた場合とにおいて、クリック感を揃えることができるので、ツマミ１１のより自然な回動操作を提供できる。
【００６７】
以上説明したように、本実施形態のガスコンロ１は、右コンロ５のバーナの火力調節を行う火力調節装置２０を備える。火力調節装置２０は、操作軸５０、回動板６０、板バネ７０を備える。操作軸５０は、火力調節装置２０の本体部であるバルブボディ２１に回動可能に軸支され、火力調節の為に回転操作される。回動板６０は、操作軸５０と一体して設けられ、操作軸５０を中心に回動する。回動板６０の前面には、係合穴６６が設けられている。板バネ７０は、バルブボディ２１に支持部材４０を介して固定され、支持部材４０の右前壁部４３の前面に固定される固定部７１から回動板６０の前面側に延びる。板バネ７０の先端部には、ピン７８が設けられている。ピン７８は、回動板６０の回動に伴って回動する係合穴６６の回動軌跡上に配置されている。板バネ７０は、ピン７８が設けられた先端部を回動板６０の前面側に付勢する。回動板６０が所定の火力に切り替わる位置に回動したとき、ピン７８は、係合穴６６に落着して係合する。係合穴６６にピン７８が係合する際に生じる衝撃は、操作軸５０を介してユーザの手にクリック感として伝わる。ユーザはこのクリック感を手掛かりにすることで、火力調節の目安にできるので、火力調節の操作性を向上できる。また、操作軸５０に回動板６０を設けて、ピン７８を固定した板バネ７０を取り付けるだけの簡単な構造であるので、取り付け、部品交換、修理等が容易で、部品コストも安価に抑えられる。
【００６８】
また、上記実施形態の火力調節装置２０は、操作軸５０に設けられたツマミ１１を操作軸５０の軸方向に押し込みながら、反時計回りに回動させる点火操作を行うことで、バーナへのガス流路を開く機能を備える。反時計回りは、火力を小火力から大火力に調節するときの方向である。また、回動板６０は、操作軸５０を中心とする略扇形状に形成されている。さらに、点火操作前及びバーナ消火時において、ピン７８は、回動板６０の外周方向の両端部のうち、操作軸５０と共に回動する反時計回り方向の下流側の一端部６７から離脱し、且つ一端部６７から一方向側に隙間を空けて配置されている。点火操作時において、ピン７８は、一端部６７側から前面に乗り上げ、一端部６７とは反対側の上流側の他端部６８側に向けて摺動する。このように、ツマミ１１の点火操作前では、板バネ７０の先端部に設けられたピン７８は、回動板６０から離脱して、隙間を空けて配置されている。これにより、点火操作前では、板バネ７０に負荷がかからないようにできるので、板バネ７０の耐久性を向上できる。
【００６９】
また、上記実施形態では、点火操作前及記消火時の操作軸５０に対して、操作軸５０の回転方向に遊びを設けているので、点火操作前に、ユーザの誤操作でツマミ１１が押されずに回された場合、操作軸５０は遊びの範囲内で回転するだけであるので、仮に板バネ７０に回動板６０が接触した場合あっても、板バネ７０に負荷がかからない。これにより、板バネ７０の耐久性を向上できる。
【００７０】
また、上記実施形態は、ツマミ１１を押し込む方向とは反対側に操作軸５０を付勢する戻しバネ５３を備える。さらに、点火操作時において、回動板６０は、操作軸５０と共に押し込まれた状態で回動する。これにより、点火操作時にツマミ１１を押し回した際には、ピン７８が回動板６０の前面から離れる方向に移動するので、係合穴６６を通過するときに得られるクリック感を緩和できる。よって、ユーザは点火操作時において、ツマミ１１を違和感が無く操作できる。
【００７１】
また、上記実施形態では、ピン７８の先端部が回動板６０の前面と接触する接点における回動板６０が操作軸５０と共に回動する反時計回り方向（図１３中Ｒ方向）は、板バネ７０の支持部材４０に固定される固定部７１から先端部に向かう方向に対して略反対方向である。そして、ピン７８の軸方向は、ピン７８の先端部との接点における回動板６０の前面に垂直な方向（図１３中Ｋ方向）に対して、固定部７１側から離れる方向に傾斜している。これにより、回動板６０が操作軸５０と共に時計回りと反時計回りに回動する場合のピン７８の係合穴６６からの抜け易さを揃えることができる。よって、操作軸５０を時計回り及び反時計回りに回転させたときに生じるクリック感を揃えることができる。
【００７２】
また、上記実施形態では、回動板６０に設けられる係合穴６６の内縁部は、テーパ状に形成されている。これにより、ピン７８の先端部は、係合穴６６にスムーズに係合して離脱するので、スムーズなクリック感を得ることができる。
【００７３】
また、上記実施形態では、中火力と小火力の間の火力位置で、クリック感が付与されるようになっているので、例えば、料理において火力を中火力から小火力に絞る際に、火力を絞り過ぎて火が消えることを防止できる。
【００７４】
なお、本発明は上記実施形態に限定されるものではなく、種々の変更が可能である。上記実施形態では、中火力と小火力の間の火力位置でクリック感が付与されるように、回動板６０の係合穴６６の位置を決めているが、その他の火力位置でクリック感が付与されるようにしてもよい。例えば、大火力と中火力の間の火力位置でクリック感が付与されるようにしてもよい。また、上記実施形態では、回動板６０に一つの係合穴６６を設けているが、複数個設けることによって、複数の火力位置でクリック感が付与されるようにしてもよい。
【００７５】
また、上記実施形態の回動板６０には、板厚方向に貫通する係合穴６６を設けているが、貫通していなくてもよく、前面側から背面側に窪んで凹状に形成された溝部であってもよい。また、係合穴６６の代わりに、前面側に突出する凸部を設けてもよい。このようなものでも、クリック感を付与できる。
【００７６】
また、上記実施形態において、点火操作時、及び火力調節時等のツマミ１１の回動方向は、逆方向であってもよい。例えば、点火操作時は、ツマミ１１を時計回りに押し回しするようにしてもよく、大火力から小火力に調節する場合は、ツマミ１１を反時計回りに回動するようにしてもよい。
【００７７】
また、バルブボディ２１内の構造は、上記実施形態に限定されるものではない。また、回動板６０の形状は、上記実施形態のような略扇型形状以外に、例えば、円形でもよく、中心角が鈍角の略扇型であってもよい。
【００７８】
また、回動板６０に対する板バネ７０の配置方向について、上記実施形態では、ネジ８２で固定される固定部７１から下方に延びるようにして配置されているが、例えば、ピン７８の先端部が回動板６０の前面と接触する接点において、横方向、又は斜め方向に配置するようにしてもよい。
【００７９】
また、上記実施形態では、ツマミ１１を押し込む方向とは反対側に操作軸５０を付勢する付勢手段として、戻しバネ５３を用いているが、バネ以外の弾性部材を用いてもよく、板バネや、ゴム、樹脂等の弾性部材を用いてもよい。また、戻しバネ５３は、操作軸５０に装着しなくてもよい。
【符号の説明】
【００８０】
１    ガスコンロ
５    右コンロ
１１    ツマミ
２０    火力調節装置
２１    バルブボディ
４０    支持部材
５０    操作軸
５３    戻しバネ
６０    回動板
６６    係合穴
６７    一端部
６８    他端部
７０    板バネ
７１    固定部
７８    ピン
Ａ    接点
【図１】
0006517604.tif 000002
【図２】
0006517604.tif 000003
【図３】
0006517604.tif 000004
【図４】
0006517604.tif 000005
【図５】
0006517604.tif 000006
【図６】
0006517604.tif 000007
【図７】
0006517604.tif 000008
【図８】
0006517604.tif 000009
【図９】
0006517604.tif 000010
【図１０】
0006517604.tif 000011
【図１１】
0006517604.tif 000012
【図１２】
0006517604.tif 000013
【図１３】
0006517604.tif 000014
【図１４】
0006517604.tif 000015
【図１５】
0006517604.tif 000016
【図１６】
0006517604.tif 000017